【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
規則的な基面と複数の縁部とを有する壁体（８）と、前記壁体（８）に投入されて全体で１つの規則的な鉄筋格子を形成する複数の鉄筋棒（１０）とを備えて、建造物の建設のためにプレキャストコンクリートとして形成される、壁モジュール（２）において、
前記鉄筋棒（１０）が、前記壁体（８）をそれぞれほぼ縁部から縁部まで貫通すると共に、その端部に接合部材（６）を備え、前記接合部材（６）が、直接隣接する壁モジュール（２）の相補的な接合部材（６）との接合用に形成され、各接合部材（６）が、前記鉄筋棒（１０）の長手方向に垂直な面において所定の中央位置に対して少なくとも２ミリメートルだけ全方向に移動できるように、遊びを持たされて所属の前記鉄筋棒（１０）と接合される
ことを特徴とする壁モジュール。
【請求項２】
請求項１記載の壁モジュール（２）において、
矩形の基面と４つの縁部を備えており、かつ
前記鉄筋棒（１０）が、それぞれ前記縁部に並行に延びている
ことを特徴とする壁モジュール。
【請求項３】
請求項１または２記載の壁モジュール（２）において、
少なくとも５ミリメートルの移動の可能性が保証される
ことを特徴とする壁モジュール。
【請求項４】
請求項１から３の１つに記載の壁モジュール（２）において、
前記接合部材（６）が、互いにねじ止めによる力結合的接合用に設計される
ことを特徴とする壁モジュール。
【請求項５】
請求項１から４の１つに記載の壁モジュール（２）において、
前記鉄筋棒（１０）が、それぞれ少なくとも２つの並行に延び、接合ユニット（４）に纏められ、その端部側で同一の接合部材（６）に接合される
ことを特徴とする壁モジュール。
【請求項６】
請求項１から５の１つに記載の壁モジュール（２）において、
前記鉄筋棒（１０）が、組立状態において水平に延び、その端部側で少なくとも１つの保持板（１２）を有する担持部材に固定接合され、
各前記保持板（１２）が、基板（１６）と２つの脚板（１８）とを備えたＵ字状のサドル部材（１４）によって把持され、前脚板（１８）がそれに付属する水平接合部材（６）に固定接合される
ことを特徴とする壁モジュール。
【請求項７】
請求項６記載の壁モジュール（２）において、
各前記担持部材が、唯一の矩形の前記保持板（１２）からなり、当該保持板が、全部で２つの鉄筋棒（１２）に固定接合される
ことを特徴とする壁モジュール。
【請求項８】
請求項７記載の壁モジュール（２）において、
各前記担持部材が、２つの矩形の保持板（１２）を有し、それらの保持板が、２つの矩形の横板（３０）を介して互いに接合され、その接合では、前担持部材が４つの所属鉄筋棒（１０）と固定接合され、かつ両前記保持板（１２）のそれぞれが、水平接合部材（６）に接合されたサドル部材（１４）によって把持される
ことを特徴とする壁モジュール。
【請求項９】
請求項６から８の１つに記載の壁モジュール（２）において、
各前記水平接合部材（６）が、内ねじを備えた雌型のブッシュ（２６）と、外ねじを備え付属のカウンタナット（２８）付きの、相補的に雄型の、ねじボルト（２０）とを有し、
前記雄型の接合部材（６）と前記雌型の接合部材（６）とが、互いに接合状態でターンバックルのように協同作用する
ことを特徴とする壁モジュール。
【請求項１０】
請求項９記載の壁モジュール（２）において、
各前記ブッシュ（２６）が、前記担持部材に対向する端部で固定のためサドル部材（１４）に設けられたねじボルト（２０）にねじ込まれる
ことを特徴とする壁モジュール。
【請求項１１】
請求項１０記載の壁モジュール（２）において、
各前記サドル部材（１４）の前記脚板（１８）が、水平方向の前記鉄筋棒（１０）と並行に設けられ、これと並行に延びる収容スリット（２２）を有し、当該スリットが、スリットエッジ（２４）によって限定され、
前記付属の接合部材（６）の各前記ねじボルト（２０）が、収容スリット（２２）に沿って前記脚板（１８）の間に押圧され、前記スリットエッジ（２４）の範囲で前記脚板（１８）に固定接合される
ことを特徴とする壁モジュール。
【請求項１２】
請求項１から１１の１つに記載の壁モジュール（２）において、
前記鉄筋棒（１０）が、組立状態で垂直方向に延び、その端部側で担持部材に固定接合され、
前記担持部材は、外ねじを備えたねじボルト（３８）を通すための切り欠きを有し、前記ねじボルトは、ねじ込まれた２つのアンカーナット（４０）と場合により設けられて前記ねじボルト（３８）によって貫通されるアンカー板（３６）と協働し、垂直方向の接合部材（６）として機能する
ことを特徴とする壁モジュール。
【請求項１３】
請求項１２記載の壁モジュール（２）において、
各前記担持部材が、矩形枠の形で互いに接合された４つの矩形の枠板（３２）を有し、相対向する２つの前記枠板（３２）が、それぞれ前記鉄筋棒（１０）と固定接合される
ことを特徴とする壁モジュール。
【請求項１４】
請求項１から１３の１つに記載の壁モジュール（２）において、
前記壁体（８）が、サンドイッチ構造の形で、外側シャーレ及び内側シャーレ並びにそれらの間にある芯充填物を有し、
前記外側シャーレと前記内側シャーレとが、前記鉄筋部材を介して摺動しないように互いに接合される
ことを特徴とする壁モジュール。
【請求項１５】
請求項１から１４の１つに記載の壁モジュール（２）の複数個を、接合部材（６）を介して互いに接合することで組み立てられた
ことを特徴とする建造物。
【請求項１６】
請求項１５記載の建造物において、
前記壁モジュール（２）同士の間にある継ぎ目、及び場合によって前記接合部材（６）の範囲にある各前記壁体（８）の切り欠きが、一例としてコンクリートが挙げられる充填部材によって充填される
ことを特徴とする建造物。
【請求項１７】
請求項１から１３の１つに記載の多数の壁モジュール（２）を有するプレハブ構造の接合システムであって、以下に記載のグループ：
・  ２つの前記壁モジュール（２）の間の継ぎ目に配置され、前記鉄筋棒（１０）がねじ止めされる、Ｕ担体（１００４，１０５４、１０６２）または箱（１０１４）、
・  ２つの前記壁モジュール（２）の間の継ぎ目に配置され、前記鉄筋棒（１０）がねじ込まれた金属性の鉤爪（１０４６，１０６０）によって形状結合的に係合する、Ｕ担体（１００４，１０５４、１０６２）または箱（１０１４）、
・  互いにねじボルト（１０２０、１０３８）によって接合される接合板（１０３４）または箱（１０１４、１０５４）が、前記鉄筋棒（１０）の１つにねじ止めされる、接合板（１０３４）または箱（１０１４、１０５４）の連合体、
・  二重ヘッドアンカー（１０７０）、に含まれている１つまたは複数の部材を有する
ことを特徴とする接合システム。
【手続補正２】
【補正対象書類名】明細書
【補正対象項目名】００６５
【補正方法】変更
【補正の内容】
【００６５】
図１５の左半図は、それぞれ端面側で鉄筋棒１０に接合されたボックス１０１４を備えた矩形の壁モジュール１００２の鉄筋格子１０１２の斜視図である。右半図には、コンクリートを注型した、引き渡し状態での、壁モジュール１００２が示されている。各ボックス１０１４は、壁モジュール１００２の接合の際に隣接する壁モジュール１００２のボックス１０１４とはボルト接合によって接合される。
【手続補正３】
【補正対象書類名】明細書
【補正対象項目名】００６６
【補正方法】変更
【補正の内容】
【００６６】
図１６は、２つの壁モジュール１００２の接合箇所における、このようにして接合されるボックスーボックスコンビネーションの縦断面図である。図１７、図１８は、図１６にローマ数字で示した切断箇所の横断面図である。
【手続補正４】
【補正対象書類名】明細書
【補正対象項目名】００６７
【補正方法】変更
【補正の内容】
【００６７】
壁モジュール１００２に向いた側では、各ボックス１０１４は、鉄筋棒１０の端部に接合固定される。これは、いわゆるＬＥＮＴＯＮ（登録商標）ボルト継ぎ手１０１６または同様の手段で行われる。鉄筋棒１０の円錐状にテーパーを付けられて外ねじを設けられた端部が、そのため相補的な形状を持つねじスリーブ１０１８若しくはボルト継手にねじ込まれて、ボックス１０１４の全体の要素が形成される。